(57)【特許請求の範囲】
【請求項１】
前壁(1)、天壁(2)、後壁(3)、底壁(4)及び継代片(5)を順次連設して、継代片(5)を前壁(1)の裏面に重ねて固定し、前壁(1)への切込により基端をヒンジとして開閉する蓋(9)を形成し、蓋(9)の先端に外重合部(9a)及び内挿部(9b)を、継代片(5)の先端に内重合部(5a)及び外抑部(5b)をそれぞれ設け、継代片(5)の外抑部(5b)に取手片(5c)を連設し、蓋(9)に折り曲げに伴い取手穴(10)が開口する取手片(9c)を設け、蓋(9)を閉じて、蓋(9)の外重合部(9a)を継代片(5)の内重合部(5a)の外側に重ねるとともに、蓋(9)の内挿部(9b)を継代片(5)の内側に、継代片(5)の外抑部(5b)を蓋(9)の外側にそれぞれ重ね、２枚の取手片(5c,9c)を重ね合わせて、蓋(9)の内側へ折り曲げる取手穴付き包装箱。
【発明の詳細な説明】
【技術分野】
【０００１】
この発明は、商品の配送等に使用する取手穴付き包装箱であって、蓋をロックする手段を備えたものに関する。
【背景技術】
【０００２】
一般に、通信販売等の商品の配送に際しては、各一対の側壁及び端壁を連設して周壁を形成し、側壁及び端壁の上下端からそれぞれ延びるフラップを重ね合わせて封緘する溝切型の段ボール箱が使用される。
【０００３】
このような段ボール箱には、通常、対向する端壁に小判型状の切込を入れて取手穴が形成され、その上縁には取手片が繋がっている。そして、段ボール箱の運搬に際し、取手片を押し込むと、取手穴が開口する。
【０００４】
また、下記特許文献１には、重ね合わせたフラップの先端部同士を、相互に差し込んでロックするものが記載されている。
【０００５】
【特許文献１】米国特許第４８７８６１２号公報
【発明の開示】
【発明が解決しようとする課題】
【０００６】
しかしながら、上記のような溝切型段ボール箱では、重量物を梱包して、取手穴に手を入れて持ち運ぼうとすると、取手穴の上端から端壁が破れることがあり、繰り返して使用できないという問題がある。
【０００７】
また、上記特許文献１に記載のロックを、フラップの基端の折曲部分の反発が強い段ボールに適用すると、ロック状態が不意に解けやすいという問題がある。
【０００８】
そこで、この発明は、運搬時の強度に優れ、蓋を確実にロックできる取手穴付き包装箱を提供することを課題とする。
【課題を解決するための手段】
【０００９】
上記のような課題を解決するため、この発明に係る包装箱は、前壁、天壁、後壁、底壁及び継代片を順次連設して、継代片を前壁の裏面に重ねて固定し、前壁への切込により基端をヒンジとして開閉する蓋を形成し、蓋の先端に外重合部及び内挿部を、継代片の先端に内重合部及び外抑部をそれぞれ設け、継代片の外抑部に取手片を連設し、蓋に折り曲げに伴い取手穴が開口する取手片を設け、蓋を閉じて、蓋の外重合部を継代片の内重合部の外側に重ねるとともに、蓋の内挿部を継代片の内側に、継代片の外抑部を蓋の外側にそれぞれ重ね、２枚の取手片を重ね合わせて、蓋の内側へ折り曲げることとしたのである。
【発明の効果】
【００１０】
このような包装箱は、運搬に際し、取手穴に手を入れて持ち上げると、握持部分で継代片と前壁とが重なるとともに、その内側に２枚の取手片も重なるので、強度に優れた構造となり、繰り返し使用に耐えるものとなる。
【００１１】
また、蓋の先端部と継代片とが相互に噛み合い、これらが取手片の折り曲げにより固定されるので、蓋が確実にロックされて、不意に開くことがなく、安心して持ち運ぶことができる。
【発明を実施するための最良の形態】
【００１２】
以下、この発明の実施形態を添付図面に基づいて説明する。
【００１３】
この包装箱の段ボール製ブランクでは、図１に示すように、前壁１、天壁２、後壁３、底壁４及び継代片５が順次連設され、底壁４の両側に側壁６が、天壁２の両側に側壁７がそれぞれ連設されている。前壁１及び後壁３と側壁２の側縁とは、折込片８を介して連結され、折込片８には、天壁２の角へ向かう斜折線８ａが入れられるとともに、内隅部に折曲抵抗を軽減する逃穴８ｂが設けられている。
【００１４】
天壁２及び前壁１には、コ字状の大きな切込により蓋９が形成され、蓋９の後端の罫線は、蓋９を開閉する際、ヒンジとして作用するようになっている。
【００１５】
側壁６の先端には、蓋受片６ａが連設され、側壁６の先端から蓋受片６ａへの微小なコ字状の切込により、係合片６ｂが形成されている。天壁２には、側壁７との稜線に沿って係合穴２ａが設けられている。側壁７の先端には差込片７ａが突設され、側壁６の基部には、弧状スリットの差込穴６ｃが設けられている。
【００１６】
蓋９の先端両側部には外重合部９ａが、中間部には内挿部９ｂが切込を介してそれぞれ設けられ、継代片５の先端両側部には内重合部５ａが、中間部には外抑部５ｂが切込を介してそれぞれ設けられている。
【００１７】
継代片５の外抑部５ｂには取手片５ｃが連設され、蓋９の前壁１の部分には、内挿部９ｂ側から蓋９の基端側へ延びるコ字状の切込により、折り曲げに伴い取手穴１０が開口する取手片９ｃが設けられている。
【００１８】
また、蓋９の前壁１の部分には、間隔をあけて対向するスリット状の切目１１ａ，１１ｂが入れられ、その中間部は山型に屈曲し、切目１１ａの両端部は切目１１ｂの方向へ曲げられて、その両端を結ぶ折目線１１ｃが入れられている。
【００１９】
このブランクから包装箱を組み立てるには、図２及び図３に示すように、前壁１、天壁２、後壁３、底壁４及び継代片５を角筒状に折り曲げ、継代片５を前壁１の下部裏面に貼り付け、底壁４から側壁６を起立させ、蓋受片６ａを内側水平方向へ折り曲げ、折込片８を斜折線８ａに沿って二つ折りにしつつ、側壁７を下方へ折り曲げて、係合穴２ａに係合片６ｂを係合させ、差込片７ａを差込穴６ｃに差し込む。
【００２０】
次に、商品の配送作業に際しては、蓋９を開いた状態で、箱内に商品を収納する。このとき、包装箱は、前面から天面へかけて大きく開口しているので、商品の収納を容易に行うことができる。
【００２１】
その後、図４及び図５に示すように、蓋９を閉じる。このとき、蓋９の外重合部９ａを継代片５の内重合部５ａの外側に重ねるとともに、継代片５の外抑部５ｂを一旦外側へ折り曲げつつ、外抑部５ｂの内面に沿わせて、蓋９の内挿部９ｂを継代片５の内側に重ね、外抑部５ｂを復元させて蓋９の外側に重ねる。
【００２２】
そして、取手片５ｃを取手穴１０に押し込んで、２枚の取手片５ｃ，９ｃを重ね合わせた状態で、蓋９の内側へ折り曲げる。
【００２３】
また、切目１１ａと折目線１１ｃの間の部分を、折目線１１ｃをヒンジとして蓋９の内側へ折り曲げ、切目１１ａ，１１ｂに伝票Ｃを挟み込む。
【００２４】
このような包装箱は、図６に示すように、運搬する際、取手穴１０に手を入れて持ち上げると、握持部分で継代片５と前壁１とが重なるとともに、その内側に２枚の取手片５ｃ，９ｃも重なるので、強度に優れた構造となり、繰り返し使用に耐えるものとなる。
【００２５】
また、蓋９の先端部と継代片５とが相互に噛み合い、これらが取手片５ｃ，９ｃの折り曲げにより固定されるので、蓋９が継代片５にロックされて、不意に開くことがなく、安心して持ち運ぶことができる。
【００２６】
さらに、蓋９の前面において、折目線１１ｃに沿った折り曲げに伴い、切目１１ａを拡大させて、伝票Ｃを切目１１ａ，１１ｂに容易に挟み込むことができるので、配送の準備作業を効率的に行うことができる。
【００２７】
なお、上記実施形態では、蓋９が前壁１及び天壁２に亘るものを例示したが、蓋９は、さらに後壁３まで亘るものとしてもよく、また、天壁２及び底壁４の奥行きが比較的小さく、前壁１の高さが大きい場合には、前壁１にのみ蓋９を形成してもよい。
【００２８】
また、前壁１、天壁２、後壁３及び底壁４が四角筒を形成するものを例示したが、各コーナーに傾斜した面取部を設けてもよい。
【００２９】
さらに、天壁２及び底壁４を、六角形等の多角形とし、両側に角度をなす複数面の側壁を設けた構成としてもよい。
【図面の簡単な説明】
【００３０】
【図１】この発明の実施形態に係る包装箱のブランクを示す図
【図２】同上の組立過程を示す斜視図
【図３】同上の組立開口状態を示す斜視図
【図４】同上の封緘状態を示す斜視図
【図５】同上のロック部分の拡大縦断側面図
【図６】同上の運搬状態を示す斜視図
【符号の説明】
【００３１】
１  前壁
２  天壁
３  後壁
４  底壁
５  継代片
５ａ  内重合部
５ｂ  外抑部
５ｃ  取手片
６  側壁
６ａ  蓋受片
６ｂ  係合片
６ｃ  差込穴
７  側壁
７ａ  差込片
８  折込片
８ａ  斜折線
８ｂ  逃穴
９  蓋
９ａ  外重合部
９ｂ  内挿部
９ｃ  取手片
１０  取手穴
１１ａ，１１ｂ  切目
１１ｃ  折目線
Ｃ  伝票
【図１】
0004891171.tif 000002
【図２】
0004891171.tif 000003
【図３】
0004891171.tif 000004
【図４】
0004891171.tif 000005
【図５】
0004891171.tif 000006
【図６】
0004891171.tif 000007